(57)【要約】【課題】拡散板のあかるさが略均一であり、ランプ交換の間隔を長期間にすることのできる照明器具およびこの照明器具を具備する照明制御システムを提供する。【解決手段】照明器具１は、器具本体２と、器具本体２に収納された発光色の異なる複数の蛍光ランプ３，４と、複数の蛍光ランプ３，４に対向するように配設された拡散板５と、器具本体２内に配設され、各蛍光ランプ３，４の放射光がそれぞれ拡散板５の全面を略均一に照射するように形成された反射体６と、器具本体２に配設され、発光色の異なる蛍光ランプ３，４ごとに点灯させる点灯装置７，８とを具備している。【選択図】図１
2007087896.tif 000002
【特許請求の範囲】
【請求項１】
器具本体と；
器具本体に収納された発光色の異なる複数の蛍光ランプと；
複数の蛍光ランプに対向するように配設された拡散板と；
器具本体内に配設され、各蛍光ランプの放射光がそれぞれ拡散板の全面を略均一に照射するように形成された反射体と；
器具本体に配設され、発光色の異なる蛍光ランプごとに点灯させる点灯装置と；
を具備していることを特徴とする照明器具。
【請求項２】
請求項１記載の照明器具と；
複数の蛍光ランプのうちのいずれかの発光色の蛍光ランプが点灯され、または、各蛍光ランプがそれぞれ調光点灯されるように予め設定された点灯状態を選択する選択手段と；
選択手段での選択に応じて、点灯装置を制御する制御装置と；
を具備していることを特徴とする照明制御システム。
【発明の詳細な説明】
【技術分野】
【０００１】
本発明は、照明環境に応じて照明光の色光を変化させることのできる照明器具およびこの照明器具を具備する照明制御システムに関する。
【背景技術】
【０００２】
互いに光色あるいは配光の異なる複数のランプを組み合わせて、それらを個別に点滅、調光させることにより、人間の心理状態に応じた照明の演出が行われている。例えば、互いに定格消費電力が異なる赤色、緑色、青色の各丸管蛍光ランプを同心円状に配置し、それらを個別に点滅、調光することのできる照明装置が提案されている。各丸管蛍光ランプは、下方を光透過拡散性セードで覆われている（特許文献１参照。）。この従来技術の照明装置は、例えば、各色の丸管蛍光ランプの明るさの比を外光の色温度に連動させて、または、各色の丸管蛍光ランプの明るさの比を保持したまま、各色の丸管蛍光ランプの光出力を外光の照度に連動させて変化させるものである。
【０００３】
そして、コンビニエンスストアーなどの２４時間営業の店舗などにおいて、季節ごとに、あるいは朝方、昼間、夕方などの時間ごとに、照明器具からの放射光の光色（色温度）を変化させて照明の演出を行うことの要望が高まっている。
【特許文献１】特開平７−７３７１１号公報（第３頁、第６図）
【発明の開示】
【発明が解決しようとする課題】
【０００４】
特許文献１の照明装置は、各色の丸管蛍光ランプの１本または２本が消灯されると、または各色の丸管蛍光ランプの調光率がそれぞれ異なると、光透過拡散性セードの明るさが不均一になるので、照明器具を視認した人に違和感や不快感を与えるおそれがあるという欠点を有する。
【０００５】
また、外光の色温度や外光の照度に連動させて、各色の丸管蛍光ランプの調光率を変化させるので、照明器具におけるランプ交換が早くなり、例えば２４時間営業の店舗ではランプ交換が煩わしくなるという問題がある。すなわち、蛍光ランプの寿命は、概略、調光率での点灯に影響されずに累積点灯時間で決定されるので、３本が同時に点灯されると、いずれか１本のランプ寿命で照明器具でのランプ交換を行うことになる。
【０００６】
本発明は、拡散板のあかるさが略均一であり、ランプ交換の間隔を長期間にすることのできる照明器具およびこの照明器具を具備する照明制御システムを提供することを目的とする。
【課題を解決するための手段】
【０００７】
請求項１に記載の照明器具の発明は、器具本体と；器具本体に収納された発光色の異なる複数の蛍光ランプと；複数の蛍光ランプに対向するように配設された拡散板と；器具本体内に配設され、各蛍光ランプの放射光がそれぞれ拡散板の全面を略均一に照射するように形成された反射体と；器具本体に配設され、発光色の異なる蛍光ランプごとに点灯させる点灯装置と；を具備していることを特徴とする。
【０００８】
本発明および以下の発明において、特に言及しない限り、各構成は以下による。
【０００９】
発光色の異なる蛍光ランプは、それぞれ１本に限らず、複数本であってもよい。
【００１０】
拡散板の全面は、各蛍光ランプの直接光および反射体からの反射光が照明器具から出射される拡散面をいい、直接光および反射光により略均一に照射される。この場合、当該全面は、拡散板の前面または背面のいずれであってもよい。
【００１１】
点灯装置は、１個であってもよく、各蛍光ランプに対応して個別に設けられてもよく、あるいは、発光色の異なる蛍光ランプをそれぞれ１群として点灯するものであってもよい。
【００１２】
本発明によれば、各蛍光ランプのいずれか１本が点灯されても、当該蛍光ランプの直接光および反射体からの反射光により、拡散板の全面が略均一に照射される。これにより、不点灯の蛍光ランプが拡散板を介して認識されにくくなる。
【００１３】
請求項２に記載の照明制御システムの発明は、請求項１記載の照明器具と；複数の蛍光ランプのうちのいずれかの発光色の蛍光ランプが点灯され、または、各蛍光ランプがそれぞれ調光点灯されるように予め設定された点灯状態を選択する選択手段と；選択手段での選択に応じて、点灯装置を制御する制御装置と；を具備していることを特徴とする。
【００１４】
選択手段は、例えば壁スイッチで形成することができる。
【００１５】
「複数の蛍光ランプのうちのいずれかの発光色の蛍光ランプが点灯され、または、各蛍光ランプがそれぞれ調光点灯される」とは、照明器具から出射される色光を異ならせるとともに、それぞれの色光による照度（明るさ）を略一定にできることを意味する。そして、季節や時刻などに応じて、照明器具から出射される色光を異ならせることにより、複数の蛍光ランプは、それぞれ点灯が休止されることがある。
【００１６】
本発明によれば、選択手段により予め設定された点灯状態を選択すると、当該選択に応じて制御装置が点灯装置を制御することにより、照明器具から異なる色光が出射され、当該色光により略一定の明るさを得ることが可能であるとともに、演出照明が行える。
【発明の効果】
【００１７】
請求項１の発明によれば、発光色の異なる複数の蛍光ランプのいずれか１本が点灯されても、当該蛍光ランプにより拡散板の全面が略均一に照射されるので、人が照明器具を視認したときに不点灯の蛍光ランプが認識されることを防止することができて、人に違和感や不快感を与えることを防止することができる。
【００１８】
請求項２の発明によれば、季節や時刻などに応じて、選択手段により予め設定された点灯状態を選択することにより、照明器具からの異なる色光で照明の演出ができる。そして、発光色の異なる各蛍光ランプに不点灯の休止期間が存在することにより、その分、各蛍光ランプの寿命が長くなるので、照明器具でのランプ交換の間隔を長期間にすることができて、省力化することができる。
【発明を実施するための最良の形態】
【００１９】
以下、本発明の一実施の形態について、図面を参照して説明する。
【００２０】
図１ないし図５は、本発明の一実施の形態を示し、図１は照明器具の概略断面図、図２は照明制御システムのブロック図、図３ないし図５は他の照明器具の概略断面図である。
【００２１】
図１において、照明器具１は、例えば埋込形照明器具であり、器具本体２、蛍光ランプ３，４、拡散板５、反射体６および点灯装置７，８を有して構成されている。器具本体２は、箱状に形成され、下面に長方形状の投光開口２ａが形成されている。器具本体２は、拡散板５が天井などの造営物に露出するようにして埋設される。
【００２２】
蛍光ランプ３，４は、それぞれ直管形の高周波点灯専用形蛍光ランプであり、互いに異なる発光色を有している。すなわち、蛍光ランプ３は、３波長形昼光色の色光を放射するように、蛍光ランプ４は、３波長形電球色の色光を放射するように形成されている。蛍光ランプ３，４は、図示しないランプソケットに装着され、並設されるようにして器具本体２に収納されている。
【００２３】
拡散板５は、器具本体２の下端に係止されて投光開口２ａに配設され、蛍光ランプ３，４に対向している。拡散板５は、例えば乳白パネルに形成され、蛍光ランプ３，４からの放射光を拡散させ、器具本体２から出射させる。また、拡散板５は、天井などの造営物に露出しているので、端面５ｂから出射された光が器具本体２周りの造営物面を照明する。
【００２４】
反射体６は、例えばアルミニウム（Ａｌ）からなり、開口を有する楕円形状に形成され、両端６ａ，６ｂが器具本体２の縁部に固定されて器具本体２内に配設されている。そして、反射体６は、並設されている蛍光ランプ３，４を内包している。
【００２５】
反射体６は、蛍光ランプ３から自身側に向かう放射光を主として拡散板５の蛍光ランプ４に対向する部分に反射させ、蛍光ランプ４から自身側に向かう放射光を主として拡散板５の蛍光ランプ３に対向する部分に反射させるように光学設計されている。すなわち、拡散板５の下面５ａ側は、図１の中心線Ａより右側の部分は、主として蛍光ランプ３の直接光と蛍光ランプ４の反射体６からの反射光によって照射され、中心線Ａより左側の部分は、主として蛍光ランプ４の直接光と蛍光ランプ３の反射体６からの反射光によって照射される。これにより、各蛍光ランプ３，４の放射光がそれぞれ拡散板５の全面を略均一に照射する。すなわち、拡散板５は、図中横方向および長手方向で略均一に照射される。
【００２６】
点灯装置７，８は、器具本体２の内面と反射体６の空間部分に配設されている。そして、点灯装置７，８は、高周波点灯装置に構成され、発光色の異なる蛍光ランプ３，４をそれぞれ高周波点灯させる。
【００２７】
そして、照明制御システム９は、図２に示すように、照明器具１、壁スイッチ装置１０および制御装置１１を有して形成されている。
【００２８】
壁スイッチ装置１０は、複数のスイッチ部１２ａ〜１２ｃおよび表示用の発光ダイオード（ＬＥＤ）１３ａ〜１３ｃ、１４ａ〜１４ｃを有して構成されている。壁スイッチ装置１０は、発光色の異なる蛍光ランプ３，４のうちのいずれかが全光点灯される、または、各蛍光ランプ３，４がそれぞれ調光点灯（例えば５０％点灯）される点灯状態が予め設定されている。
【００２９】
スイッチ部１２ａ〜１２ｃは、前記点灯状態を選択させるものである。すなわち、スイッチ部１２ａを押圧すると、蛍光ランプ３，４のうちの蛍光ランプ３が点灯（全光点灯）され、スイッチ部１２ｂを押圧すると、蛍光ランプ３，４のうちの蛍光ランプ４が点灯（全光点灯）され、スイッチ部１２ｃを押圧すると、蛍光ランプ３，４がそれぞれ調光点灯（５０％点灯）される。
【００３０】
発光ダイオード１３ａ，１３ｂ，１３ｃは、それぞれ蛍光ランプ３、蛍光ランプ４、蛍光ランプ３および蛍光ランプ４の両方が点灯されているときに点灯制御され、赤色光を放射する。また、発光ダイオード１４ａ，１４ｂ，１４ｃは、それぞれ蛍光ランプ３、蛍光ランプ４、蛍光ランプ３および蛍光ランプ４の両方が消灯されているときに点灯制御され、緑色光を放射する。
【００３１】
制御装置１１は、壁スイッチ装置１０でのスイッチ部１２ａ〜１２ｃでの押圧（選択）に応じて点灯装置７，８を制御するように形成されている。すなわち、スイッチ部１２ａが押圧されると、例えばリレーを閉成して点灯装置７に電源を供給させるとともに、蛍光ランプ３を全光点灯させる調光信号を点灯装置７に送出する。これにより、蛍光ランプ３は、点灯装置７により全光点灯される。また、スイッチ部１２ｂが押圧されると、点灯装置８に電源を供給させるとともに、蛍光ランプ４を全光点灯させる調光信号を点灯装置８に送出する。これにより、蛍光ランプ４は、点灯装置８により全光点灯される。また、スイッチ部１２ｃが押圧されると、点灯装置７および点灯装置８にそれぞれ電源を供給させるとともに、蛍光ランプ３および蛍光ランプ４を調光点灯（５０％点灯）させる調光信号をそれぞれ点灯装置７および点灯装置８に送出する。これにより、蛍光ランプ３，４は、点灯装置７，８によりそれぞれ調光点灯される。
【００３２】
図３ないし図５は、照明器具１の変形例である。図３（ａ）に示す照明器具１５は、器具本体２に逆富士形の拡散板１６が配設されている。また、図３（ｂ）に示す照明器具１７は、器具本体２に略皿状の拡散板１８が配設されている。図４に示す照明器具１９は、器具本体２内に複数の反射面を有する反射体２０が配設されている。反射体２０は、例えば１枚の反射板を折曲して形成されている。図５に示す照明器具２１は、器具本体２内に第１および第２の湾曲部２２ａ，２２ｂを有する反射体２２が配設されている。第１および第２の湾曲部２２ａ，２２ｂは、それぞれ楕円形状に形成されている。図３ないし図５の照明器具１５，１７，１９，２１は、各蛍光ランプ３，４のそれぞれの放射光がそれぞれの拡散板１６，１８，５，５の全面を略均一に照射するものである。
【００３３】
次に、本発明の一実施の形態の作用について、図１および図２を用いて説明する。
【００３４】
壁スイッチ装置１０のスイッチ部１２ａを選択すると、照明器具１の蛍光ランプ３が点灯する。蛍光ランプ３の放射光は、拡散板５の全面を略均一に照射（照明）する。また、スイッチ部１２ｂを選択すると、蛍光ランプ４が点灯する。蛍光ランプ４の放射光は、拡散板５の全面を略均一に照射（照明）する。すなわち、蛍光ランプ３および蛍光ランプ４のうちのいずれか一方が点灯され他方が消灯されても、拡散板５の全面が略均一に照射（照明）される。
【００３５】
そして、蛍光ランプ３および蛍光ランプ４を拡散板５にそれぞれ対向するように並設して、互いの直接光が拡散板５に照射され、互いの反射体６による反射光が他方の蛍光ランプに遮断されることを少なくしている。これにより、蛍光ランプ３および蛍光ランプ４のうちのいずれか一方が点灯され他方が消灯されても、拡散板５において他方の蛍光ランプの影を見えにくくしている。
【００３６】
図１において、例えば蛍光ランプ３が拡散板５側、蛍光ランプ４が反射体６側となるようにして中心線Ａの方向に並設されていると、各蛍光ランプ３，４の放射光がそれぞれ拡散板５の全面を照射するものであっても、蛍光ランプ４が点灯し、蛍光ランプ３が消灯しているときに、蛍光ランプ４からの直接光により、蛍光ランプ３の影が拡散板５の下方から視認される。これにより、拡散板５の全面の明るさが不均一に見えるようになる。
【００３７】
上述したように、照明器具１は、蛍光ランプ３，４が拡散板５に対向するようにして並設され、蛍光ランプ３，４のいずれか一方が点灯しても、点灯している蛍光ランプにより拡散板５の全面が略均一に照射され略一定の明るさになる。したがって、人が照明器具１を視認したときに不点灯の蛍光ランプが認識されることを防止することができて、人に違和感や不快感を与えることを防止することができる。
【００３８】
そして、蛍光ランプ３は色温度の高い昼光色の色光を放射し、蛍光ランプ４は色温度の低い電球色の色光を放射するので、季節または時刻などに応じて、壁スイッチ装置１０のスイッチ部１２ａ〜１２ｃを選択して押圧することにより、照明器具１からの異なる色光による照明の演出が行える。
【００３９】
コンビニエンスストアーなどにおいて、例えば、夏の季節では、スイッチ部１２ａを選択して蛍光ランプ３を全光点灯させ、照明器具１からの昼光色の色光により照明し、冬の季節では、スイッチ部１２ｂを選択して蛍光ランプ４を全光点灯させ、電球色の色光により照明し、春および秋の季節では、スイッチ部１２ｃを選択して蛍光ランプ３，４をそれぞれ調光点灯（５０％点灯）させる。これにより、季節に応じて、照明器具１からの異なる色温度の放射光が出射され、被照射面を略一定の明るさで照明することができる。
【００４０】
そして、夏の季節では、蛍光ランプ４が消灯され、冬の季節では、蛍光ランプ３が消灯されるので、各蛍光ランプ３，４に不点灯の休止期間が存在する。この休止期間分、各蛍光ランプ３，４の寿命が長くなるので、照明器具１において、ランプ交換の間隔を長期間にすることができて省力化することができる。
【００４１】
また、オフィスなどにおいて、朝方は、色温度の高い昼光色を放射する蛍光ランプ３を全光点灯させ、昼間は、昼光色と電球色を混色して色温度を抑制するように、例えば蛍光ランプ３を調光率４０％で、蛍光ランプ４を調光率１０％でそれぞれ調光点灯させ、夕方は、色温度を低くするように、例えば蛍光ランプ３を調光率１０％で、蛍光ランプ４を調光率４０％でそれぞれ調光点灯させることで、時刻に応じた照明の演出を行うことができる。
【図面の簡単な説明】
【００４２】
【図１】本発明の一実施の形態を示す照明器具の概略断面図。
【図２】同じく、照明制御システムのブロック図。
【図３】同じく、他の照明器具の概略断面図。
【図４】同じく、さらに他の照明器具の概略断面図。
【図５】同じく、さらに他の照明器具の概略断面図。
【符号の説明】
【００４３】
１，１５，１７，１９，２１…照明器具
２…器具本体
３，４…蛍光ランプ
５…拡散板
６，２０…反射体
７，８…点灯装置
９…照明制御システム
１０…選択手段としての壁スイッチ装置
１１…制御装置
【図１】
2007087896.tif 000003
【図２】
2007087896.tif 000004
【図３】
2007087896.tif 000005
【図４】
2007087896.tif 000006
【図５】
2007087896.tif 000007